(57)【要約】【課題】弁体及び弁棒を備えた弁蓋の不断水状態での撤去作業を工事コストの低廉化を図りながら、弁箱のボルト挿通孔からの漏水を確実に防止した状態で能率良く容易に行う。【解決手段】弁箱２の第１連結部２Ｄに、弁蓋４の一部を囲繞する環状取付け枠Ａを取付ける工程と、押え手段Ｂによって弁蓋４の第２連結部４Ａを弁箱２の第１連結部２Ｄに押付け固定する工程と、両連結部２Ｄ，４Ａを固定連結しているボルト・ナットを撤去する工程と、弁箱２の反力受け部Ｄに装備の押圧止水手段Ｃにより、第１連結部２Ｄのボルト挿通孔を下面側から押圧状態で止水する工程と、環状取付け枠Ａに、作業用開閉弁Ｖ２及び昇降搬送手段Ｅを備えた作業ハウジングＨを取付ける工程と、押え手段Ｂの押付け固定を解除し、昇降搬送手段Ｅにて弁蓋４を作業ハウジングＨ内に取り出し、作業用開閉弁Ｖ２を閉弁操作する工程と、作業ハウジングＨ内の弁蓋４を撤去する工程とを備えている。【選択図】図５
2014029195.tif 000002
【特許請求の範囲】
【請求項１】
流体配管系に接続される弁箱と、この弁箱の弁体装着口部に設けた第１連結部にボルト・ナットにて固定連結される第２連結部を備えた弁蓋と、当該弁蓋に貫設された弁棒を介して弁箱の弁体装着口部から脱着自在に装着される弁体とを備えた仕切弁のうち、前記弁体及び弁棒を備えた弁蓋を不断水状態で弁箱から撤去する仕切弁の弁蓋撤去工法であって、
前記弁箱の第１連結部に、少なくとも前記第２連結部を含む弁蓋の一部を囲繞する環状取付け枠を水密状態で取付ける工程と、
この環状取付け枠に設けた押え手段により、前記弁蓋の第２連結部を前記弁箱の第１連結部に対して水密状態に押付け固定する工程と、
前記第１・第２連結部を固定連結している前記ボルト・ナットを撤去する工程と、
前記弁箱に設けられた反力受け部に装備の押圧止水手段により、第１連結部のボルト挿通孔を下面側から押圧状態で止水する工程と、
前記環状取付け枠に、作業用開閉弁及び前記弁蓋に連結される昇降搬送手段を備えた作業ハウジングを取付ける工程と、
前記押え手段の押付け固定を解除し、前記昇降搬送手段にて弁蓋を作業ハウジング内の格納空間内に取り出したのち、前記作業用開閉弁を閉弁操作する工程と、
作業ハウジング内の格納空間内に取り出された弁蓋を撤去する工程と、
を備えている仕切弁の弁蓋撤去工法。
【請求項２】
前記押え手段が、前記弁蓋に脱着自在に装着された押え部材を介して前記弁蓋の第２連結部を前記弁箱の第１連結部に対して水密状態に押付け固定するように構成されている請求項１記載の仕切弁の弁蓋撤去工法。
【請求項３】
前記押圧止水手段には、前記第１連結部のボルト挿通孔を通して前記第２連結部のボルト挿通孔に係入する止水ガイド部が設けられている請求項１又は２記載の仕切弁の弁蓋撤去工法。
【請求項４】
前記反力受け部が、前記弁箱のうち、流体配管系に接続される横向き弁箱部の中間部位に対して直交する縦向き弁箱部の外面に突出形成された突起部と、この突起部に挾持固定される分割挾持リングとから構成されている請求項１〜３のいずれか１項に記載の仕切弁の弁蓋撤去工法。
【請求項５】
前記反力受け部が、前記弁箱のうち、流体配管系に接続される横向き弁箱部の中間部位に対して直交する縦向き弁箱部の外面に挾持固定される分割挾持リングと、当該分割挾持リングに作用する反力を横向き弁箱部に受止め支持させる脚部とから構成されている請求項１〜３のいずれか１項に記載の仕切弁の弁蓋撤去工法。
【請求項６】
前記環状取付け枠が、前記弁箱の第１連結部における前記弁蓋の第２連結部よりも径方向外方に突出する部位に水密状態で挾持固定されている請求項１〜５のいずれか１項に記載の仕切弁の弁蓋撤去工法。
【請求項７】
請求項４に記載の仕切弁の弁蓋撤去工法に用いられる仕切弁であって、前記弁箱の縦向き弁箱部の外面に、前記突起部が前記第１連結部と平行又は略平行な姿勢で環状に一体形成されている仕切弁。
【発明の詳細な説明】
【技術分野】
【０００１】
本発明は、流体配管系に接続されている仕切弁のうち、弁箱に比して寿命の短い弁体が設定耐久年数に至ったとき、或いは、弁体の作動不良が発生したときなど、この弁体及び弁棒を備えた弁蓋を不断水状態で弁箱から撤去する仕切弁の弁蓋撤去工法、及び、それに用いられる仕切弁の改良技術に関する。
【背景技術】
【０００２】
流体配管系に接続される仕切弁としては、一般に、弁箱の弁体装着口部に形成されている第１連結部としてのフランジと弁蓋に形成されている第２連結部としてのフランジとをボルト・ナットで水密状態に締付け固定している仕切弁が用いられている。
【０００３】
このような一般的な仕切弁を用いた弁蓋撤去工法として、従来では、
仕切弁の弁箱に連通接続されている上流側及び下流側の両流体管に、当該両流体管の一部を含む状態で仕切弁の略全体を囲繞する分割構造の下部ハウジングを水密状態で取付ける工程、
下部ハウジングに設けたフランジ挾持装置により、弁箱のフランジと弁蓋のフランジとを外方から挟み込み固定して両フランジ間を水密状態に維持する工程、
弁箱のフランジと弁蓋のフランジとを締付け固定しているボルト・ナットを取り外す工程、
仕切弁の弁棒の上端部に、上部ハウジングに装備される昇降搬送装置の昇降軸を構成する複数の分割昇降軸部のうち、下方側の分割昇降軸部の下端部を連結する工程、
下部ハウジングの上側開口部のフランジに、作業用開閉弁の下側フランジをボルト・ナットで水密状態に固定連結する工程、
上部ハウジングに装備されている昇降搬送装置の上方側の分割昇降軸部を、仕切弁の弁棒に連結されている下方側の分割昇降軸部に連結するとともに、作業用開閉弁の上側フランジに、上部ハウジングの下側フランジをボルト・ナットで水密状態に固定連結する工程、
フランジ挾持装置による弁箱のフランジと弁蓋のフランジとの挟み込み固定を解除したのち、昇降搬送装置の昇降軸を上昇操作して、弁体及び弁棒を備えた弁蓋を上部ハウジングの格納空間内に取り出し、作業用開閉弁を閉弁操作する工程、
上部ハウジングの格納空間内に取り出された弁蓋を撤去する工程、
上記工程を備えた弁蓋撤去工法が提案されている（例えば、特許文献１参照）。
【先行技術文献】
【特許文献】
【０００４】
【特許文献１】特開２００７−１７７９４５
【発明の概要】
【発明が解決しようとする課題】
【０００５】
従来の仕切弁の弁蓋撤去工法では、両流体管の一部を含む状態で仕切弁の略全体を囲繞するための大きな分割構造の下部ハウジングが必要で、しかも、これに伴って作業ピットの掘削容積も大きくなるため、工事が大掛かりになり、工事コストが高騰する不都合がある。
【０００６】
本発明は、上述の実状に鑑みて為されたものであって、その主たる課題は、弁体及び弁棒を備えた弁蓋の不断水状態での撤去作業を工事コストの低廉化を図りながら、弁箱の第１連結部に形成されているボルト挿通孔からの漏水を確実に防止した状態で能率良く容易に行うことのできる仕切弁の弁蓋撤去工法、及び、その撤去作業の能率化、容易化に貢献する仕切弁を提供する点にある。
【課題を解決するための手段】
【０００７】
本発明による第１の特徴構成は、流体配管系に接続される弁箱と、この弁箱の弁体装着口部に設けた第１連結部にボルト・ナットにて固定連結される第２連結部を備えた弁蓋と、当該弁蓋に貫設された弁棒を介して弁箱の弁体装着口部から脱着自在に装着される弁体とを備えた仕切弁のうち、前記弁体及び弁棒を備えた弁蓋を不断水状態で弁箱から撤去する仕切弁の弁蓋撤去工法であって、
前記弁箱の第１連結部に、少なくとも前記第２連結部を含む弁蓋の一部を囲繞する環状取付け枠を水密状態で取付ける工程と、
この環状取付け枠に設けた押え手段により、前記弁蓋の第２連結部を前記弁箱の第１連結部に対して水密状態に押付け固定する工程と、
前記第１・第２連結部を固定連結している前記ボルト・ナットを撤去する工程と、
前記弁箱に設けられた反力受け部に装備の押圧止水手段により、第１連結部のボルト挿通孔を下面側から押圧状態で止水する工程と、
前記環状取付け枠に、作業用開閉弁及び前記弁蓋に連結される昇降搬送手段を備えた作業ハウジングを取付ける工程と、
前記押え手段の押付け固定を解除し、前記昇降搬送手段にて弁蓋を作業ハウジング内の格納空間内に取り出したのち、前記作業用開閉弁を閉弁操作する工程と、
作業ハウジング内の格納空間内に取り出された弁蓋を撤去する工程と、
を備えている点にある。
【０００８】
上記構成によれば、設定耐久年数に至った弁体、或いは、作動不良が発生した弁体等を備えた弁蓋を撤去する場合、先ず、弁箱の第１連結部に環状取付け枠を水密状態で取付け、この環状取付け枠に、作業用開閉弁及び前記弁蓋に連結される昇降搬送手段を備えた作業ハウジングを水密状態で取付けるので、両流体管の一部を含む状態で仕切弁の略全体を囲繞する分割構造の下部ハウジングを用いる従来工法に比して、仕切弁の下部側及び両流体管の一部の囲繞に要していたハウジングの削減を図ることができるとともに、それに伴って作業ピットの掘削容積も減少することができる。
【０００９】
また、作業ハウジングを取付ける以前の工程において、弁箱の第１連結部に取付けられている環状取付け枠の押え手段によって、弁蓋の第２連結部を弁箱の第１連結部に対して水密状態に押付け固定するから、この状態で第１・第２連結部を固定連結しているボルト・ナットを撤去しても、両連結部の接合面間から第１連結部に形成されているボルト挿通孔を通して漏水することがない。
【００１０】
しかも、押え手段による弁蓋の押付け固定を解除操作する場合には、弁蓋に連結されている作業ハウジング側の昇降搬送手段にて弁蓋側に作用する水圧を受止め支持させることができるので、押え手段の押付け固定解除操作を軽い力で容易に行うことができる。
【００１１】
さらに、昇降搬送手段にて弁蓋を作業ハウジング内の格納空間内に取り出すときには、第１連結部のボルト挿通孔は、弁箱に設けられた反力受け部に装備の押圧止水手段によって下面側から押圧状態で止水されているので、弁箱の弁体装着口部から流出する水が第１連結部に形成されているボルト挿通孔を通して漏洩することを確実に防止することができる。
【００１２】
したがって、弁体及び弁棒を備えた弁蓋の不断水状態での撤去作業を工事コストの低廉化を図りながら、弁箱の第１連結部に形成されているボルト挿通孔からの漏水を確実に防止した状態で能率良く容易に行うことができる。
【００１３】
本発明による第２の特徴構成は、前記押え手段が、前記弁蓋に脱着自在に装着された押え部材を介して前記弁蓋の第２連結部を前記弁箱の第１連結部に対して水密状態に押付け固定するように構成されている点にある。
【００１４】
上記構成によれば、弁蓋の上面に存在する構成部材に邪魔されることなく、弁蓋に装着された押え部材を介して弁蓋の第２連結部を弁箱の第１連結部に確実、容易に押付け固定することができる。
【００１５】
本発明による第３の特徴構成は、前記押圧止水手段には、前記第１連結部のボルト挿通孔を通して前記第２連結部のボルト挿通孔に係入する止水ガイド部が設けられている点にある。
【００１６】
上記構成によれば、弁箱に設けられた反力受け部と弁箱の第１連結部との間で押圧止水手段が突っ張り固定されている状態において、例えば、少なくとも新たな弁体が装備された別の弁蓋を取付ける際、別の弁蓋の第２連結部が弁箱の第１連結部に当接したとき、前記押圧止水手段の止水ガイド部が第１連結部のボルト挿通孔を通して第２連結部のボルト挿通孔に係入しているため、ボルト・ナットによる別の弁蓋の第２連結部と弁箱の第１連結部との固定連結作業を確実・容易に行うことができる。
【００１７】
本発明による第４の特徴構成は、前記反力受け部が、前記弁箱のうち、流体配管系に接続される横向き弁箱部の中間部位に対して直交する縦向き弁箱部の外面に突出形成された突起部と、この突起部に挾持固定される分割挾持リングとから構成されている点にある。
【００１８】
上記構成によれば、弁箱に設けられた反力受け部の分割挾持リングと弁箱の第１連結部との間で押圧止水手段が突っ張り固定される際の大きな反力を、分割挾持リングが係合状態で挾持固定されている頑丈な弁箱側の突起部にて確実に受止め支持させることができる。
【００１９】
それ故に、分割挾持リングが弁箱の外面に挾持状態で締付け固定されている場合のように、分割挾持リングが弁箱の外面に沿ってずれ落ちないように支えるための荷重支持装置を別途設ける必要がなく、工事費の低減化を促進することができるとともに、施工現場での組付け作業の容易化、能率化を図ることができる。
【００２０】
しかも、突起部が弁箱の縦向き弁箱部に形成されているので、この突起部から第１連結部までの距離が短くなり、押圧止水手段のコンパクト化を図ることができる。
【００２１】
本発明による第５の特徴構成は、前記反力受け部が、前記弁箱のうち、流体配管系に接続される横向き弁箱部の中間部位に対して直交する縦向き弁箱部の外面に挾持固定される分割挾持リングと、当該分割挾持リングに作用する反力を横向き弁箱部に受止め支持させる脚部とから構成されている点にある。
【００２２】
上記構成によれば、弁箱の第１連結部と弁箱の縦向き弁箱部の外面に挾持固定された分割挾持リングとの間で押圧止水手段を突っ張り固定したとき、分割挾持リングに作用する大きな反力を、脚部を介して頑丈な弁箱側の横向き弁箱部にて確実に受止め支持させることができる。
【００２３】
しかも、分割挾持リングと反力伝達用の脚部とを準備するだけで、既設の一般的な仕切弁に対しても、弁体及び弁棒を備えた弁蓋の不断水状態での撤去作業において、弁箱の第１連結部のボルト挿通孔を下面側から確実、簡単に止水処理することができる。
【００２４】
本発明による第６の特徴構成は、前記環状取付け枠が、前記弁箱の第１連結部における前記弁蓋の第２連結部よりも径方向外方に突出する部位に水密状態で挾持固定されている点にある。
【００２５】
上記構成によれば、弁蓋側の第２連結部よりも径方向外方に突出する弁箱側の第１連結部の突出部位を利用して環状取付け枠を係合状態で簡単に挾持固定することができるので、環状取付け枠に作用する作業用開閉弁及び昇降搬送手段を備えた作業ハウジングの荷重と昇降搬送手段で取り出される弁蓋の荷重とが作用しても、この大きな荷重を頑丈な弁箱側の第１連結部の突出部位にて確実に受止め支持させることができる。
【００２６】
本発明による第７の特徴構成は、第４特徴構成の仕切弁の弁蓋撤去工法に用いられる仕切弁であって、前記弁箱の縦向き弁箱部の外面に、前記突起部が前記第１連結部と平行又は略平行な姿勢で環状に一体形成されている点にある。
【００２７】
上記構成によれば、弁箱に設けられた反力受け部の分割挾持リングと弁箱の第１連結部との間で押圧止水手段を突っ張り固定する際の大きな反力を、分割挾持リングが係合状態で挾持固定されている頑丈な弁箱側の突起部にて確実に受止め支持させることができ、しかも、この突起部が第１連結部と平行又は略平行な姿勢で環状に一体形成されているため、押圧止水手段の取付けの容易化と姿勢の安定化を図ることができるとともに、突起部による荷重支持機能を向上することができる。
【００２８】
それ故に、分割挾持リングが弁箱の平滑な外面に挾持状態で締付け固定されている場合のように、分割挾持リングが弁箱の外面に沿ってずれ落ちないように支えるための荷重支持装置を別途設ける必要がなく、工事費の低減化を促進することができるとともに、施工現場での組付け作業の容易化、能率化を図ることができる。
【図面の簡単な説明】
【００２９】
【図１】本発明の第１実施形態を示す水道配管系の仕切弁接続箇所の一部切欠側面図
【図２】環状取付け枠を取付けたときの一部切欠側面図
【図３】押え手段で押付け固定したときの一部切欠側面図
【図４】作業ハウジングを取付けたときの一部切欠側面図
【図５】弁蓋を作業ハウジングの格納空間に取り出したときの一部切欠側面図
【図６】本発明の第２実施形態を示す水道配管系の仕切弁接続箇所の一部切欠側面図
【図７】押え手段で押付け固定したときの一部切欠側面図
【図８】作業ハウジングを取付けたときの一部切欠側面図
【発明を実施するための形態】
【００３０】
〔第１実施形態〕
図１は、流体配管系を構成する流体管の一例である水道配管系の水道管１の途中にフランジ接合されている仕切弁Ｖ１を示す。
この仕切弁Ｖ１は、上流側及び下流側の水道管１に接続される側面視略逆Ｔ字状に構成された鋳鉄製の弁箱２と、この弁箱２の上端に開口形成された弁体装着口部３に対して上方から装着される鋳鉄製の弁蓋４と、当該弁蓋４に貫設された弁棒５を介して弁箱２の弁体装着口部３から脱着自在に装着されるゴムライニングが施された弁体６とが備えられている。
【００３１】
弁箱２は、両水道管１の連結フランジ１Ａに第１締結手段７のボルト７Ａ・ナット７Ｂで水密状態に固定連結される一対の連結フランジ２Ａを備えた横断面形状が円形の横向き弁箱部２Ｂと、当該横向き弁箱部２Ｂの流路軸芯方向中央部に対して直交する方向で一体形成される横断面形状が略長方形状(隅丸長方形状）の縦向き弁箱部２Ｃとから構成されているとともに、縦向き弁箱部２Ｃの外周面における弁体装着口部３側の開口周縁部には、周方向に所定間隔をおいて複数のボルト挿通孔２ａを形成してある環状の第１連結部２Ｄが径方向外方に張り出す状態で一体形成されている。
【００３２】
弁蓋４には、弁箱２の第１連結部２Ｄに対して上下方向から接合可能で、且つ、第１連結部２Ｄのボルト挿通孔２ａに対応する部位にボルト挿通孔４ａを形成してある第２連結部４Ａが一体形成されているとともに、弁蓋４の中央部には、弁棒５を水密状態で回転操作自在に貫通支持する軸支承部４Ｂが設けられている。
【００３３】
弁箱２の第１連結部２Ｄと弁蓋４の第２連結部４Ａとは、上下方向で相対向する第１連結部２Ｄのボルト挿通孔２ａと第２連結部４Ａのボルト挿通孔４ａとに挿通された第２締結手段８のボルト８Ａ・ナット８Ｂによる締付け操作によって固定連結されているとともに、弁蓋４の第２連結部４Ａの下面に形成した環状のシール装着溝４ｂには、ボルト８Ａ・ナット８Ｂの締付け操作によって第１連結部２Ｄと第２連結部４Ａとの接合面間を水密状態にするシール材の一例であるガスケット９が装着されている。
【００３４】
また、弁棒５のネジ軸部に螺合された弁体６は、弁棒５の上端部に形成されている角軸状の回転操作部５ａの回転操作により流路開放位置（開弁位置）と流路遮断位置（閉弁位置）との間で上下方向にスライド移動されるように構成されている。
【００３５】
弁箱２の第１連結部２Ｄは、弁蓋４の第２連結部４Ａよりも大径に構成され、この第２連結部４Ａよりも径方向外方に突出する環状の突出部位(以下、環状突出部位と記載する）２ｄが、少なくとも第２連結部４Ａを含む弁蓋４の一部を囲繞する後述の環状取付け枠Ａを水密状態で挾持固定するための取付け部に構成されている。
【００３６】
さらに、弁箱２の縦向き弁箱部２Ｃの外面には、第１連結部２Ｄのボルト挿通孔２ａを下面側から押圧状態で止水する後述の押圧止水手段Ｃを支持可能で、且つ、当該押圧止水手段Ｃの押圧止水時の反力を受止め可能な反力受け部Ｄの一部を構成する環状の突起部２Ｅが、第１連結部２Ｄと平行又は略平行な姿勢で一体的に突出形成されている。
【００３７】
次に、水道配管系の上流側及び下流側の水道管１に接続された仕切弁Ｖ１のうち、弁箱２に比して寿命の短い弁体６が設定耐久年数に至ったとき、或いは、弁体６の作動不良が発生したときなど、弁体６及び弁棒５を備えた弁蓋４を不断水状態で弁箱２から撤去する弁蓋撤去工法について説明する。
【００３８】
[１]  図２は、弁箱２の第１連結部２Ｄのうち、弁蓋４の第２連結部４Ａよりも径方向外方に突出する環状突出部位２ｄに、少なくとも第２連結部４Ａを含む弁蓋４の一部を囲繞する、詳しくは、第１連結部２Ｄの上面から弁棒５の回転操作部５ａの上下中間相当位置にまでの範囲を囲繞する環状取付け枠Ａを水密状態で取付ける工程を示す。
【００３９】
この環状取付け枠Ａは、第１連結部２Ｄの環状突出部位２ｄの下方側から当て付けられる分割構造の下側取付け枠材１５と、環状突出部位２ｄの上方側から当て付けられる筒ケース状の上側取付け枠材１６と、この両取付け枠材１５、１６を互いに引き寄せながら締め付けて環状突出部位２ｄに挾持固定する第３締結手段１７とから構成されている。
【００４０】
この第３締結手段１７は、上側取付け枠材１６の下面の周方向複数箇所に形成されるネジ孔（図示せず）と、下側取付け枠材１５に形成されているボルト挿通孔（図示せず）を通して下方側から上側取付け枠材１６のネジ孔に螺合されるボルト１７Ａとから構成されている。
【００４１】
分割構造の下側取付け枠材１５の上面における径方向外方側部位には、上方に突出する位置規制用の環状規制突起１５Ａが一体形成されているとともに、上側取付け枠材１６の下面には、下側取付け枠材１５の環状規制突起１５Ａと第１連結部２Ｄの外周面との間に係入して、下側取付け枠材１５と上側取付け枠材１６との水平方向での相対移動を阻止する環状係合突起１６Ａが一体的に突出形成されている。
【００４２】
また、上側取付け枠材１６の下面における第１連結部２Ｄの環状突出部位２ｄと当接する部位に形成した環状のシール装着溝１６ａには、第３締結手段１７のボルト１７Ａの締付け操作によって第１連結部２Ｄと上側取付け枠材１６との対向面間を水密状態にするシール材の一例であるガスケット１８が装着されている。
【００４３】
[２]  図３は、環状取付け枠Ａの上側取付け枠材１６に設けた押え手段Ｂにより、弁蓋４に脱着自在に装着された押え部材２０を介して弁蓋４の第２連結部４Ａを弁箱２の第１連結部２Ｄに水密状態に押付け固定する工程と、この押え手段Ｂによる押付け固定時に、第１連結部２Ｄと第２連結部４Ａとを固定連結している第２締結手段８のボルト８Ａ・ナット８Ｂを撤去する工程と、弁箱２の第１連結部２Ｄと弁箱２に設けられた反力受け部Ｄとの間に装着される押圧止水手段Ｃにより、第１連結部２Ｄの各ボルト挿通孔２ａを下面側から押圧状態で止水する工程とを示す。
【００４４】
押え部材２０は、弁蓋４の軸支承部４Ｂに上方から当接する状態で外装さる押えカバー部２０Ａと、弁蓋４の第２連結部４Ａの上面に当接する状態で押えカバー部２０Ａの下端に連設される環状の鍔部２０Ｂと、弁棒５の回転操作部５ａの突出を許容する内径を有するネジ筒状で、且つ、弁体６及び弁棒５を備えた弁蓋４等を昇降搬送する昇降搬送手段Ｅ側の連結部３６の雌ネジに着脱自在に螺合連結される被連結部２０Ｃとから構成されている。
【００４５】
押え部材２０の押えカバー部２０Ａにおける周壁部２０ｂの周方向複数箇所には、昇降搬送手段Ｅで吊下げられる弁体６及び弁棒５を備えた弁蓋４の荷重に抗して押え部材２０の押えカバー部２０Ａと弁蓋４の軸支承部４Ｂとを締付け固定する締付け固定手段の一例である止めネジ１９が設けられている。
【００４６】
押え手段Ｂは、上側取付け枠材１６の上下中間部の周方向複数箇所 (当該実施形態では４箇所)に、上側取付け枠材１６の内部空間に連通するネジ筒２１を、それのネジ軸芯が押え部材２０の鍔部２０Ｂの上面又はその近傍を通る水平軸芯上に位置する状態で固着し、各ネジ筒２１には、押え部材２０の鍔部２０Ｂの上面側の外周縁部に形成されたテーパー面２０ａに水平方向から当接するテーパー状押え面２２ａを備えた押込みボルト２２を螺合することにより構成されている。
【００４７】
そして、押え手段Ｂの複数本の押込みボルト２２を螺進操作すると、各押込みボルト２２のテーパー状押え面２２ａと押え部材２０の鍔部２０Ｂのテーパー面２０ａとの当接箇所において、押え部材２０を弁蓋４の第２連結部４Ａ側に強力に押圧し、さらに、当該弁蓋４の第２連結部４Ａが弁箱２の第１連結部２Ｄを強力に押圧するため、この押え手段Ｂで強く押付け固定した状態では、第２締結手段８のボルト８Ａ・ナット８Ｂによる押付け力を解除しても、弁蓋４の第２連結部４Ａと弁箱２の第１連結部２Ｄとの間に介装されているガスケット９を圧縮された水密状態に確実に維持することができる。
【００４８】
そのため、押え手段Ｂによる押付け固定終了後において、第２締結手段８のボルト８Ａ・ナット８Ｂを撤去して、弁箱２の第１連結部２Ｄと弁蓋４の第２連結部４Ａとの固定連結を解除する。
【００４９】
また、弁箱２の縦向き弁箱部２Ｃに形成された環状の突起部２Ｅには、当該突起部２Ｅの上面及び外周面に係合する係合凹部２３ｃを形成してある周方向で複数に分割構成された分割挾持リング２３を挾持固定してあり、この分割挾持リング２３と弁箱２側の突起部２Ｅとをもって、押圧止水手段Ｃを載置支持し、且つ、押圧止水手段Ｃの押圧止水時の反力を確実に受止め可能な反力受け部Ｄが構成されている。
【００５０】
分割挾持リング２３は、図４に示すように、周方向で二分割された分割挾持リング体２３Ａ，２３Ｂから構成され、これら両分割挾持リング体２３Ａ，２３Ｂの両端部に形成されている連結片２３ａ，２３ｂの相対向するもの同士を第４締結手段２４のボルト２４Ａ・ナット２４Ｂで締付け操作することにより、突起部２Ｅに対して径方向外方から外装された両分割挾持リング体２３Ａ，２３Ｂを縮径させながら係合状態で挾持固定させるように構成されている。
【００５１】
第２締結手段８の撤去後に取付けられる押圧止水手段Ｃは、分割挾持リング２３の両分割挾持リング体２３Ａ，２３Ｂと同じ二分割構造又は開閉構造の止水押圧リング体２７のうち、弁箱２の第１連結部２Ｄのボルト挿通孔２ａに対応する部位に、各ボルト挿通孔２ａに係入可能な止水操作ボルト２６を螺合して、各止水操作ボルト２６の頭部２６ａを両分割挾持リング体２３Ａ，２３Ｂの上面に載置させた状態で各止水操作ボルト２６を押圧側に回転操作することにより、止水押圧リング体２７の上面を第１連結部２Ｄの下面に圧接させるように構成してある。
【００５２】
止水押圧リング体２７の上面には、第１連結部２Ｄの下面における各ボルト挿通孔２ａの下側開口を水密に閉止するパッキン２８が設けられているとともに、各止水操作ボルト２６の上端部を円錐状の先細り形状に構成して、第１連結部２Ｄのボルト挿通孔２ａを通して第２連結部４Ａのボルト挿通孔４ａに係入案内する止水ガイド部２６ｂが構成されている。
【００５３】
押圧止水手段Ｃは、止水押圧リング体２７に複数本の止水操作ボルト２６を予め螺合してあるものを第１連結部２Ｄと分割挾持リング２３との間に装着することになる。
【００５４】
そして、第２締結手段８の撤去後において、第１連結部２Ｄのボルト挿通孔２ａに、押圧止水手段Ｃの各止水操作ボルト２６の止水ガイド部２６ｂを挿入し、弁箱２の突起部２Ｅに分割挾持リング２３を取付け、この分割挾持リング２３の上面に各止水操作ボルト２６の頭部２６ａを載置した状態で各止水操作ボルト２６を押圧側に回転操作し、止水押圧リング体２７の上面に設けられているパッキン２８を第１連結部２Ｄの下面に圧接し、第１連結部２Ｄの下面における各ボルト挿通孔２ａの下側開口を水密に閉止する。
【００５５】
[３]  図４は、環状取付け枠Ａの上側取付け枠材１６に、作業用開閉弁Ｖ２及び弁蓋４に連結される昇降搬送手段Ｅを備えた作業ハウジングＨを水密状態で取付けるハウジング取付け工程を示す。
【００５６】
作業用開閉弁Ｖ２の弁ケース３０のうち、環状取付け枠Ａの上側取付け枠材１６に上方から外嵌状態で装着される嵌合装着筒部３０Ａの内面には、上側取付け枠材１６の上端面に上方から当接する嵌合位置規制用環状突起３０ａが一体形成されているとともに、弁ケース３０の嵌合装着筒部３０Ａの周方向複数箇所には、上側取付け枠材１６の外周面の上端部に突出形成された環状突起１６ｂの下側テーパー面１６ｃに対して水平方向から当接するテーパー状押え面３１ａを備えた引き寄せボルト３１が螺合されている。
【００５７】
また、弁ケース３０における嵌合装着筒部３０Ａの内面と嵌合位置規制用環状突起３０ａとで形成される入隅部と上側取付け枠材１６の環状突起１６ｂの上側テーパー面１６ｄとの対向面間には、シール材の一例であるＯリング（図示せず）を装着して、引き寄せボルト３１の締付け操作により、Ｏリングを水密状態に圧縮しながら弁ケース３０の嵌合位置規制用環状突起３０ａを環状取付け枠Ａの上側取付け枠材１６の上端面に引き寄せ固定するように構成されている。
【００５８】
作業ハウジングＨには、弁ケース３０の上側連結フランジ３０Ｂに第５締結手段３２のボルト３２Ａ・ナット３２Ｂで水密状態に固定連結される下側連結フランジ３３Ａを有する作業ハウジング本体３３が備えられ、この作業ハウジング本体３３内には、弁体６及び弁棒５を備えた弁蓋４を収納可能な格納空間Ｓが形成されている。
【００５９】
昇降搬送手段Ｅは、作業ハウジング本体３３の天板部の中心部に摺動自在に貫通支持された昇降軸３５の下端部に、押え部材２０の被連結部２０Ｃに着脱可能な状態で螺合連結される連結部３６を設けて構成されている。
【００６０】
尚、このハウジング取付け工程では、押え手段Ｂの複数本の押込みボルト２２の締め込み操作によって弁蓋４が弁箱２側に押付け固定された状態にある。
【００６１】
[４]  図５は、押え手段Ｂによる弁蓋４の押付け固定を解除し、昇降搬送手段Ｅにて弁蓋４を作業ハウジングＨの格納空間Ｓ内に取り出したのち、前記作業用開閉弁Ｖ２を閉弁操作する工程を示す。
【００６２】
具体的には、押え手段Ｂの複数本の押込みボルト２２を緩み操作して、各押込みボルト２２のテーパー状押え面２２ａを押え部材２０の鍔部２０Ｂの上面側外周縁部に形成されたテーパー面２０ａから径方向外方側に離脱させる。
【００６３】
その後、弁箱２に装着されている弁蓋４を昇降軸３５に連結されているクレーン等で作業ハウジング本体３３の格納空間Ｓ内の所定格納位置に上昇移動させたのち、作業用開閉弁Ｖ２の弁体３９を閉弁操作し、作業ハウジングＨの格納空間Ｓ内に取り出された弁蓋４を撤去する。
【００６４】
この弁蓋４の撤去工程では、弁ケース３０の上側連結フランジ３０Ｂと作業ハウジング本体３３の下側連結フランジ３３Ａとを固定連結している第５締結手段３２のボルト３２Ａ・ナット３２Ｂを撤去し、取り外された弁蓋４及び昇降搬送手段Ｅを備えた作業ハウジング本体３３をクレーン等で所定位置に吊下げ搬送して撤去する。
【００６５】
[５]  弁蓋４の撤去工程後に、少なくとも新たな弁体６が装備された別の弁蓋４を取付ける場合には、上述の撤去作業工程と略逆の手順を取ることになる。
すなわち、弁蓋４の撤去工程後においては、
作業ハウジングＨに設けた昇降搬送手段Ｅの昇降軸３５の連結部３６に、少なくとも新たな弁体６が装備された別の弁蓋４の被連結部２０Ｃを連結する工程と、
作業ハウジングＨの作業ハウジング本体３３の下側連結フランジ３３Ａと作業用開閉弁Ｖ２の弁ケース３０の上側連結フランジ３０Ｂとを第５締結手段３２のボルト３２Ａ・ナット３２Ｂで水密状態に固定連結する工程と、
作業用開閉弁Ｖ２の弁体２９を開弁操作して、作業ハウジングＨの格納空間Ｓ内にある別の弁蓋４を昇降搬送手段Ｅの昇降軸３５にて弁箱２側に下降し、別の弁蓋４の第２連結部４Ａを弁箱２の第１連結部２Ｄに接合装着する工程と、
押え手段Ｂの複数本の押込みボルト２２で別の弁蓋４を弁箱２側に押付け固定する工程と、
昇降軸３５を螺合解除側に回転操作して当該昇降軸３５の連結部３６と別の弁蓋４の被連結部２０Ｃとの連結を解除したのち、環状取付け枠Ａの上側取付け枠材１６と作業用開閉弁Ｖ２の弁ケース３０とを固定連結している引き寄せボルト３１を固定解除操作し、環状取付け枠Ａの上側取付け枠材１６から作業用開閉弁Ｖ２及び昇降搬送手段Ｅを備えた作業ハウジングＨを撤去する工程と、
弁箱２の第１連結部２Ｄと分割挾持リング２３との間に組付けられている押圧止水手段Ｃを撤去する工程と、
接合された別の弁蓋４の第２連結部４Ａと弁箱２の第１連結部２Ｄとを第２締結手段８のボルト８Ａ・ナット８Ｂで水密状態に固定連結する工程と、
押え手段Ｂの複数本の押込みボルト２２による別の弁蓋４の押付けを解除し、環状取付け枠Ａの上側取付け枠材１６と下側取付け枠材１５とを固定連結している第３締結手段１７を固定解除操作し、上側取付け枠材１６を下側取付け枠材１５から撤去する工程と、
下側取付け枠材１５及び分割挾持リング２３を弁箱２から撤去する工程と、
を実行する。
【００６６】
尚、上述の第１実施形態では、弁蓋４の撤去工程後に、少なくとも新たな弁体６が装備された別の弁蓋４を取付けたが、この別の弁蓋４に代えて、弁箱２の弁体装着口部３を水密状態で閉止する蓋体を取付けてもよく、さらに、補修弁とこれを弁箱２の第１連結部２Ｄに取り付ける弁取付け部材との組み物を取付けてもよい。
【００６７】
〔第２実施形態〕
図６〜図８は、弁箱２の第１連結部２Ｄと弁蓋４の第２連結部４Ａとが同径に構成されている仕切弁Ｖ１の弁蓋撤去工法を示す。
【００６８】
[６]  図６は、弁箱２の第１連結部２Ｄに、少なくとも第２連結部４Ａを含む弁蓋４の一部を囲繞する環状取付け枠Ａを水密状態で取付ける工程と、この環状取付け枠Ａに設けた押え手段Ｂにより、弁蓋４の第２連結部４Ａを弁箱２の第１連結部２Ｄに対して水密状態に押付け固定する工程とを示す。
【００６９】
環状取付け枠Ａは、弁箱２の第１連結部２Ｄの外周面に弾性シール材４０を介して水密状態で挾持固定される分割構造（当該実施形態では二分割構造）の下側取付け枠材４１と、当該下側取付け枠材４１の連結フランジ４１Ａに第６締結手段４２のボルト４２Ａ・ナット４２Ｂで水密状態に固定連結される連結フランジ４３Ａを備えた上側取付け枠材４３とから構成されている。
【００７０】
下側取付け枠材４１の分割環状枠体４１Ｂの内周面には、弾性シール材４０のシール装着溝を構成する上下一対の仕切り突起４１Ｃ，４１Ｄが形成され、そのうち、下側の仕切り突起４１Ｄが弁箱２の第１連結部２Ｄの下面に対して下方から当接する突出代に構成されている。
【００７１】
上側取付け枠材４３は、弁棒５を含む弁蓋４の全体を囲繞する筒状ケース体４３Ｂの下端に連結フランジ４３Ａを固着して構成されている。
【００７２】
押え手段Ｂは、上側取付け枠材４３の筒状ケース体４３Ｂの上下中間部の周方向複数箇所 (当該実施形態では４箇所)に、上側取付け枠材４３の内部空間に連通するネジ筒２１を、それのネジ軸芯が押え部材２０の鍔部２０Ｂの上面又はその近傍を通る水平軸芯上に位置する状態で固着し、各ネジ筒２１には、押え部材２０の鍔部２０Ｂの上面側の外周縁部に形成されたテーパー面２０ａに水平方向から当接するテーパー状押え面２２ａを備えた押込みボルト２２を螺合することにより構成されている。
【００７３】
そして、押え手段Ｂの複数本の押込みボルト２２を螺進操作すると、各押込みボルト２２のテーパー状押え面２２ａと押え部材２０の鍔部２０Ｂのテーパー面２０ａとの当接箇所において、押え部材２０を弁蓋４の軸支承部４Ｂ側に強力に押圧し、さらに、当該弁蓋４の第２連結部４Ａが弁箱２の第１連結部２Ｄを強力に押圧するため、この押え手段Ｂで強力に押付け固定された状態では、第２締結手段８のボルト８Ａ・ナット８Ｂによる締付け固定力を解除しても、弁蓋４の第２連結部４Ａと弁箱２の第１連結部２Ｄとの間に介装されているガスケット９を圧縮された水密状態に確実に維持することができる。
【００７４】
[７]  図７は、弁箱２の第１連結部２Ｄと弁蓋４の第２連結部４Ａとを固定連結している第２締結手段８のボルト８Ａ・ナット８Ｂを撤去したのち、弁箱２に設けられた反力受け部Ｄに装備の押圧止水手段Ｃにより、第１連結部２Ｄのボルト挿通孔２ａを下面側から押圧状態で止水する工程を示す。
【００７５】
反力受け部Ｄは、弁箱２の縦向き弁箱部２Ｃの外面に挾持固定される分割構造（当該実施形態ではニ分割構造）の分割挾持リング２３と、この分割挾持リング２３に作用する押圧止水手段Ｃの反力を頑丈な弁箱２の横向き弁箱部２Ｂに受止め支持させるための左右一対の半力伝達用の脚部４５とをもって、押圧止水手段Ｃの止水時の反力を確実に受止め可能な反力受け部Ｄが構成されている。
【００７６】
分割挾持リング２３は、周方向で二分割された分割挾持リング体２３Ａ，２３Ｂから構成され、これら両分割挾持リング体２３Ａ，２３Ｂの両端部に形成されている連結片２３ａ，２３ｂの相対向するもの同士を第４締結手段２４のボルト２４Ａ・ナット２４Ｂで締付け操作することにより、弁箱２の縦向き弁箱部２Ｃの外面に対して径方向外方から外装された両分割挾持リング体２３Ａ，２３Ｂを縮径させながら挾持固定させるように構成されている。
【００７７】
左右一対の脚部４５は、分割挾持リング２３の両分割挾持リング体２３Ａ，２３Ｂに取付けられているとともに、各脚部４５の下端は、弁箱２の横向き弁箱部２Ｂの外面における脚部当接相当箇所の横断面形状に沿った円弧状凹部に形成されている。
【００７８】
押圧止水手段Ｃは、分割挾持リング２３の両分割挾持リング体２３Ａ，２３Ｂと同じ二分割構造又は開閉構造の止水押圧リング体２７のうち、弁箱２の第１連結部２Ｄのボルト挿通孔２ａに対応する部位に、各ボルト挿通孔２ａに係入可能な止水操作ボルト２６を螺合して、各止水操作ボルト２６の頭部２６ａを両分割挾持リング体２３Ａ，２３Ｂの上面に載置させた状態で各止水操作ボルト２６を押圧側に回転操作することにより、止水押圧リング体２７の上面を第１連結部２Ｄの下面に圧接させるように構成してある。
【００７９】
止水押圧リング体２７の上面には、第１連結部２Ｄの下面における各ボルト挿通孔２ａの下側開口を水密に閉止するパッキン２８が設けられているとともに、各止水操作ボルト２６の上端部を円錐状の先細り形状に構成して、第１連結部２Ｄへの近接移動に伴って当該第１連結部２Ｄのボルト挿通孔２ａに係入案内する止水ガイド部２６ｂが構成されている。
【００８０】
[８]  図８は、環状取付け枠Ａの上側取付け枠材４３に、作業用開閉弁Ｖ２及び弁蓋４に連結される昇降搬送手段Ｅを備えた作業ハウジングＨを水密状態で取付けるハウジング取付け工程を示す。
【００８１】
作業用開閉弁Ｖ２の弁ケース３０のうち、上側取付け枠材４３の筒状ケース体４３Ｂに上方から外嵌状態で装着される嵌合装着筒部３０Ａの内面には、上側取付け枠材１６の筒状ケース体４３Ｂの上端面に上方から当接する嵌合位置規制用環状突起３０ａが一体形成されているとともに、弁ケース３０の嵌合装着筒部３０Ａの周方向複数箇所には、筒状ケース体４３Ｂの外周面の上端部に突出形成された環状突起４３ａの下側テーパー面４３ｂに対して水平方向から当接するテーパー状押え面３１ａを備えた引き寄せボルト３１が螺合されている。
【００８２】
また、弁ケース３０における嵌合装着筒部３０Ａの内面と嵌合位置規制用環状突起３０ａとで形成される入隅部と上側取付け枠材４３の環状突起４３ａの上側テーパー面４３ｃとの対向面間には、シール材の一例であるＯリング（図示せず）を装着して、引き寄せボルト３１の締付け操作により、Ｏリングを水密状態に圧縮しながら弁ケース３０の嵌合位置規制用環状突起３０ａを環状取付け枠Ａの上側取付け枠材４３の上端面に引き寄せ固定するように構成されている。
【００８３】
尚、その他の構成及び方法の手順は、第１実施形態で説明した構成及び方法の手順と同一又実質的に同一であるから、同一の構成箇所には、第１実施形態と同一の番号を付記してそれの説明は省略する。
【００８４】
〔その他の実施形態〕
（１）上述の各実施形態では、弁箱２の第１連結部２Ｄと弁蓋４の第２連結部４Ａを夫々環状に構成したが、この第１連結部２Ｄ及び第２連結部４Ａを周方向で断続形成してもよい。
【００８５】
（２）上述の第１実施形態では、少なくとも第２連結部４Ａを含む弁蓋４の一部を囲繞する環状取付け枠Ａを、分割構造の下側取付け枠材１５と筒ケース状の上側取付け枠材１６とを固定連結して構成したが、この下側取付け枠材１５と筒ケース状の上側取付け枠材１６とを一体形成して構成してもよい。
【００８６】
（３）環状取付け枠Ａに設けられる押え手段Ｂとしては、弁蓋４の第２連結部４Ａを弁箱２の第１連結部２Ｄに対して水密状態に押付け固定することのできるものであれば、如何なる構造のものを用いてもよい。
【００８７】
（４）弁箱２に設けられる反力受け部Ｄとしては、押圧止水手段Ｃの止水時の反力を確実に受止めることのできるものであれば、如何なる構造のものを用いてもよい。
【００８８】
（５）押圧止水手段Ｃとしては、第１連結部２Ｄのボルト挿通孔２ａを下面側から押圧状態で止水することのできるものであれば、如何なる構造のものを用いてもよい。
【００８９】
（６）弁箱２の第１接合部２Ｄと弁蓋４の第２接合部４Ａの形態、ハウジングＨの形態、昇降搬送手段Ｅの形態、作業用開閉弁Ｖ２の形態の各々は各種条件に応じて適宜変更可能である。
【産業上の利用可能性】
【００９０】
以上説明したように、弁体及び弁棒を備えた弁蓋の不断水状態での撤去作業を工事コストの低廉化を図りながら、弁箱の第１連結部に形成されているボルト挿通孔からの漏水を確実に防止した状態で能率良く容易に行うことのできる仕切弁の弁蓋撤去工法、及び、その撤去作業の能率化、容易化に貢献する仕切弁を提供することができる。
【符号の説明】
【００９１】
Ａ        環状取付け枠
Ｂ        押え手段
Ｃ        押圧止水手段
Ｄ        反力受け部
Ｅ        昇降搬送手段
Ｈ        作業ハウジング
Ｓ        格納空間
Ｖ１      仕切弁
Ｖ２      作業用開閉弁
２        弁箱
２Ｄ      第１連結部
２Ｅ      突起部
２ａ      ボルト挿通孔
２ｄ      突出部位（環状突出部位）
３        弁体装着口部
４        弁蓋
４Ａ      第２連結部
８Ａ      ボルト
８Ｂ      ナット
２０      押え部材
２３      分割挾持リング
２６ｂ    止水ガイド部
４５      脚部
【図１】
2014029195.tif 000003
【図２】
2014029195.tif 000004
【図３】
2014029195.tif 000005
【図４】
2014029195.tif 000006
【図５】
2014029195.tif 000007
【図６】
2014029195.tif 000008
【図７】
2014029195.tif 000009
【図８】
2014029195.tif 000010